(57)【要約】【課題】乳房の乳腺量の違いに影響されないで正確な診断が行なえるように乳房放射線画像を表示して診断性能を向上させる。【解決手段】乳房放射線画像Ｐそれぞれの乳腺の含有率を算出し、各乳房放射線画像の乳腺の含有率の順に乳房放射線画像Ｐを並び替て、並び換えた順に従って乳房放射線画像Ｐを表示する。【選択図】図８
2009078033.tif 000002
【特許請求の範囲】
【請求項１】
複数の乳房放射線画像を記憶する画像記憶手段と、
前記乳房放射線画像それぞれの乳腺の含有率を算出する乳腺含有率算出手段と、
該乳腺含有率算出手段により得られた各乳房放射線画像の乳腺の含有率の順に前記複数の乳房放射線画像を並び換える並び換え手段と、
該並び換え手段により並び換えた順に従って乳房放射線画像を表示する第１の乳房画像表示手段とを備えたことを特徴とする乳房画像表示装置。
【請求項２】
複数の乳房放射線画像を記憶する画像記憶手段と、
前記乳房放射線画像それぞれの乳腺の含有率を算出する乳腺含有率算出手段と、
該乳腺含有率算出手段により得られた各乳房放射線画像の乳腺の含有率に応じて、前記複数の乳房放射線画像を複数の乳房タイプに分類する分類手段と、
該分類手段により分類された乳房タイプに分けて乳房放射線画像を表示する第２の乳房画像表示手段とを備えたことを特徴とする乳房画像表示装置。
【請求項３】
前記複数の乳房タイプが、脂肪性、乳腺離散、不均一高濃度、および、高濃度の４つであることを特徴とする請求項２記載の乳房画像表示装置。
【請求項４】
前記第２の乳房画像表示手段が、前記乳房放射線画像とともに前記分類手段で分類された乳房タイプを表示するものであることを特徴とする請求項２または３記載の乳房画像表示装置。
【請求項５】
コンピュータを、
複数の乳房放射線画像それぞれの乳腺の含有率を算出する乳腺含有率算出手段と、
該乳腺含有率算出手段により得られた各乳房放射線画像の乳腺の含有率の順に前記複数の乳房放射線画像を並び換える並び換え手段と、
該並び換え手段により並び換えた順に従って乳房放射線画像を表示する第１の乳房画像表示手段として機能させる乳房画像表示プログラム。
【請求項６】
コンピュータを、
複数の乳房放射線画像それぞれの乳腺の含有率を算出する乳腺含有率算出手段と、
該乳腺含有率算出手段により得られた各乳房放射線画像の乳腺の含有率に応じて、前記複数の乳房放射線画像を複数の乳房タイプに分類する分類手段と、
該分類手段により分類された乳房タイプに分けて乳房放射線画像を表示する第２の乳房画像表示手段として機能させる乳房画像表示プログラム。
【発明の詳細な説明】
【技術分野】
【０００１】
本発明は、画像診断支援装置に関し、詳しくは乳房放射線画像の乳腺量に応じて表示の方法を変える乳房画像表示装置およびそのプログラムに関するものである。
【背景技術】
【０００２】
従来より、乳がん検診は触診のみによる検診より、乳房を撮影した放射線撮影画像（マンモグラフィ）を組み合わせたほうが早期がんの発見率が上昇するため、乳房専用の放射線撮影装置を用いた検診が行われている。
【０００３】
撮影された乳房放射線画像を診断する際には、取得された複数の画像を高精細な表示装置に複数枚並べて表示して、相互に比較することにより診断を行っている。乳がんなどの異常陰影は乳腺部に現れることが多いため乳腺領域を観察して診断が行なわれるが、乳腺の分布の状態は個人差が大きく、乳腺の分布の状態によって異常陰影の現れ方が異なる。乳腺の分布が少ない乳房放射線画像は異常陰影との濃度が大きいために異常陰影の部分が明瞭に現れるが、乳腺が多く分布している乳房放射線画像は異常陰影と乳腺との濃度差が小さいため異常陰影の部分が見つけにくいので特に注意を要する。
【０００４】
また、乳房の放射線画像を読影する場合に、医師は乳腺の分布の状態に応じて目視で乳房を分類しているが、分類結果は個人差が大きくかつ同一医師でも再現性が低い。そこで、コンピュータによって乳腺の分布状態に応じた分類をすることによって、定量的に解析することで再現性を確保できるような診断支援装置を提供して、医師が読影する際、分類結果を表示して、表示された分類結果を参考にして、乳腺の中に潜んでいる異常陰影の見落としを減らすようにしたものがある。さらに、分類結果に応じた画像処理（例えば、画像のコントラスト、ＬＵＴ（ルックアップテーブル）、濃度、周波数強調度）を行なって、異常陰影の検出を行うようにしている（例えば、特許文献１など）。
【特許文献１】特開２００２−１２５９６１公報
【発明の開示】
【発明が解決しようとする課題】
【０００５】
ところで、診断を行なう場合には、乳房放射線画像の場合は乳腺領域に注目して診断を行なうが、上述のように乳腺の分布の状態を考慮して診断は行なわなければならない。しかし、乳腺の少ない画像を観察した後に、乳腺が多く存在する画像を観察する場合には、前の画像のイメージが読影する者の意識の中に残るため、残ったイメージに影響されて正確な診断が行なわれない場合がある。特許文献１のように、分類結果の表示を行うようにしたとしても、１つ前に観察した画像のイメージに影響されることが多い。
【０００６】
本発明は，前記事情に鑑みてなされたものであり、乳房の乳腺量の違いに影響されないで正確な診断が行なえるように乳房放射線画像を表示する乳房画像表示装置を提供することを目的とするものである。
【課題を解決するための手段】
【０００７】
本願発明の乳房画像表示装置は、複数の乳房放射線画像を記憶する画像記憶手段と、
前記乳房放射線画像それぞれの乳腺の含有率を算出する乳腺含有率算出手段と、
該乳腺含有率算出手段により得られた各放射線画像の乳腺の含有率の順に前記複数の乳房放射線画像を並び換える並び換え手段と、
該並び換え手段により並び換えた順に従って乳房放射線画像を表示する第１の乳房画像表示手段とを備えたことを特徴とするものである。
【０００８】
また、本願発明の乳房画像表示プログラムは、コンピュータを、
複数の乳房放射線画像それぞれの乳腺の含有率を算出する乳腺含有率算出手段と、
該乳腺含有率算出手段により得られた各乳房放射線画像の乳腺の含有率の順に前記複数の乳房放射線画像を並び換える並び換え手段と、
該並び換え手段により並び換えた順に従って乳房放射線画像を表示する第１の乳房画像表示手段として機能させることを特徴とするものである。
【０００９】
「乳腺の含有率」とは、乳房放射線画像から検出された乳房領域（脂肪領域と乳腺領域を含む）の面積に対して乳腺領域と判定された部分の面積の割合をいう。
【００１０】
「乳腺の含有率の順に並び換える」とは、算出された含有率に応じて昇順あるいは降順に並び換えることをいう。
【００１１】
「並び換えた順に従って乳房放射線画像を表示する」とは、乳腺の含有率の昇順あるいは降順の順番に乳房放射線画像を１枚ずつ切り替えて表示するものであってもよいし、乳腺の含有率の昇順あるいは降順の並びで乳房放射線画像の複数枚を同一画面上に表示するものであってもよい。
【００１２】
本願発明の他の乳房画像表示装置は、複数の乳房放射線画像を記憶する画像記憶手段と、
前記乳房放射線画像それぞれの乳腺の含有率を算出する乳腺含有率算出手段と、
該乳腺含有率算出手段により得られた各乳房放射線画像の乳腺の含有率に応じて、前記複数の乳房放射線画像を複数の乳房タイプに分類する分類手段と、
該分類手段により分類された乳房タイプに分けて乳房放射線画像を表示する第２の乳房画像表示手段とを備えたことを特徴とするものである。
【００１３】
本願発明の他の乳房画像表示プログラムは、コンピュータを、
複数の乳房放射線画像それぞれの乳腺の含有率を算出する乳腺含有率算出手段と、
該乳腺含有率算出手段により得られた各乳房放射線画像の乳腺の含有率に応じて、前記複数の乳房放射線画像を複数の乳房タイプに分類する分類手段と、
該分類手段により分類された乳房タイプに分けて乳房放射線画像を表示する第２の乳房画像表示手段として機能させることを特徴とするものである。
【００１４】
「乳腺の含有率に応じて、前記複数の乳房放射線画像を複数の乳房タイプに分類する」とは、算出された含有率に基づいて、所定の基準に従って乳房のタイプが似たものどうしにまとめて分けることをいう。
【００１５】
「分類された乳房タイプに分けて乳房放射線画像を表示する」とは、同一画面上に複数の乳房放射線画像を表示する場合には、同じ乳房タイプの乳房放射線画像であれば並び順は問わないで表示するものであってもよいし、乳房放射線画像を１枚ずつ切り替えて表示する場合には、同じ乳房タイプの乳房放射線画像を続くように切り替えながら表示するようにすれば同じ乳房タイプ内の乳房放射線画像の表示の順番は問わないものであってもよい。
【００１６】
また、前記複数の乳房タイプは、脂肪性、乳腺離散、不均一高濃度、および、高濃度の４つが望ましい。
【００１７】
さらに、前記第２の乳房画像表示手段は、前記乳房放射線画像とともに前記分類手段で分類された乳房タイプを表示するものが望ましい。
【００１８】
「乳房放射線画像とともに前記分類手段で分類された乳房タイプを表示する」とは、具体的には、例えば、表示している乳房放射線画像と一緒に分類された乳房タイプの名称を表示画面上に表示する。あるいは、乳房タイプに応じたマークなどを表示するものであってもよい
【発明の効果】
【００１９】
本発明によれば、乳房放射線画像の乳腺の含有率の順に乳房放射線画像を並び換えて表示することにより、１つ前に読影した乳房放射線画像の乳腺の含有量に左右されることが少なくなり診断精度を向上させることができる。
【００２０】
また、乳房放射線画像の乳腺の含有率に応じて、前記複数の乳房放射線画像を複数の乳房タイプに分類して、分類されたタイプに分けて乳房放射線画像を表示することにより、類似した乳房放射線画像をまとめて観察することができ、他の乳房放射線画像の乳腺の含有量に左右されることが少なくなり診断精度を向上させることができる。
【００２１】
また、乳房タイプを、脂肪性、乳腺離散、不均一高濃度、および、高濃度の代表的な４つのタイプに分けることで、診断に適した分類に分けることができる。
【００２２】
さらに、乳房放射線画像とともに分類された乳房タイプを表示することで、画像診断医などが分類された乳房タイプを意識して診断を行うことができる。
【発明を実施するための最良の形態】
【００２３】
本発明の乳房画像表示装置が導入された医療情報システムの第１の実施形態の概略構成を図１に示す。図１に示すように、このシステムは、乳房専用のＸ線撮影装置（以下、乳房画像撮影装置という）１、画像品質チェック用ワークステーション（ＱＡ−ＷＳ）２、読影ワークステーション（乳房画像表示装置）３、および、画像管理サーバ４が、ネットワーク５を介して互いに通信可能な状態で接続されて構成されている。
【００２４】
ネットワーク５は、病院内の各種装置を接続するローカルエリアネットワークであり、乳房画像撮影装置１で撮影された乳房放射線画像が各装置間で送受信される。読影ワークステーション３が他の病院あるいは診療所にも設置されている場合には、ネットワーク５は、各病院のローカルエリアネットワーク同士をインターネットもしくは専用回線で接続した構成であってもよい。また、ネットワーク５は光ネットワークなど画像の高速転送を実現できるものが望ましい。
【００２５】
乳房画像撮影装置１は、図２に示すように、放射線を照射する放射線照射部１１と、乳房を載置する撮影台１２と、放射線照射部１１と撮影台１２とが対向するように連結するアーム１３と、アーム１３が取り付けられた基台１４とを備えている。さらに、アーム１３には、放射線照射部１１と撮影台１２の間に撮影台１２の上から乳房Ｍを押さえつけて圧迫するための圧迫板１６が取り付けられる。
【００２６】
撮影台１２には、フラットパネルディテクター等の画像記録媒体１５が収容され、放射線照射部１１から照射された放射線が撮影台１２上の乳房を透過して画像記録媒体１５に乳房放射線画像が記録される。乳房Ｍは立体的で厚みがあるため、そのまま撮影をすると乳腺や脂肪、血管などが障害になり腫瘍が写しだされないことがあるので、圧迫板１６で乳房の上から圧迫した後に、放射線照射部１１から放射線を照射して、圧迫された乳房Ｍを透過した放射線が画像記録媒体１５に記録される。
【００２７】
また、乳房画像撮影装置１には、ネットワーク５に接続された送受信部（不図示）が設けられ、フラットパネルディテクター１５に記録された乳房放射線画像をＤＩＣＯＭ規格で規定された付帯情報を付加して画像品質チェック用ワークステーション２に送信する。付帯情報は、そのモダリティ等のメーカ独自の規格のものであってもよい。
【００２８】
ＱＡ−ＷＳ２は、汎用のコンピュータ（例えば、ワークステーションなど）と１台または２台の高精細ディスプレイとキーボード・マウスなどの入力機器により構成される。コンピュータには、検査技師の作業を支援するためのソフトウェアプログラムがインストールされる。ＱＡ−ＷＳ２は、そのソフトウェアプログラムの実行によって実現される機能により、乳房撮影装置１から受信した乳房放射線画像に対して、規格化処理（ＥＤＲ処理）や乳房放射線画像の品質を調整するための処理を行い、処理後の乳房放射線画像と付帯情報の内容を画面に表示して検査技師に確認を促す。検査技師による確認が済んだ乳房放射線画像は、ネットワーク５を介して画像管理サーバ４に転送される。
【００２９】
画像管理サーバ４は、汎用の比較的処理能力の高いコンピュータにデータベース管理システム（DataBase Management System: DBMS）の機能を提供するソフトウェアプログラムを組み込んだものであり、大容量ストレージを備えている。このストレージは、画像管理サーバ４とデータバスによって接続された大容量のハードディスク装置であってもよいし、ネットワーク５に接続されているディスク装置であってもよい。
【００３０】
画像管理サーバ４には、乳房放射線画像と付帯情報とが対応付けられて記録される。付帯情報には、例えば、個々の乳房放射線画像を識別するための画像ＩＤ、被写体を識別するための患者ＩＤ、検査を識別するための検査ＩＤ、乳房放射線画像ごとに割り振られるユニークなＩＤ（ＵＩＤ）、その乳房放射線画像が生成された検査日、検査時刻、その乳房放射線画像を撮影するための検査で使用されたモダリティの種類、患者氏名、年齢などの患者情報などが含まれ、例えばＸＭＬやＳＧＭＬデータとして管理される。
【００３１】
また、画像管理サーバ４は、読影ワークステーション３からの閲覧要求をネットワーク５経由で受信すると、乳房放射線画像を検索し、検索された乳房放射線画像の要求元の読影ワークステーション３に送信する。
【００３２】
読影ワークステーション３は、画像診断医が乳房放射線画像の読影や読影レポートの作成に利用する装置であり、処理装置と１台または２台の高精細ディスプレイとキーボード・マウスなどの入力機器により構成される。この装置では、画像管理サーバ４に対する乳房放射線画像Ｐの閲覧要求がおこなわれ、画像管理サーバ４から閲覧要求した乳房放射線画像Ｐを受信して表示が行われる。本願発明の乳房画像表示プログラムは、この読影ワークステーション３にインストールされ乳房画像表示装置として機能する。
【００３３】
読影ワークステーション（乳房画像表示装置）３は、図３に示すように、画像管理サーバ４に対して閲覧要求を送信し読影に必要な乳房放射線画像Ｐを取得し、取得した複数の乳房放射線画像Ｐを記憶する画像記憶手段３１と、各乳房放射線画像Ｐの乳腺の含有率を算出する乳腺含有率算出手段３２と、各乳房放射線画像Ｐを乳腺の含有率の順に並び換える並び換え手段３３と、並び換えた順に従って表示装置３５の画面上に乳房放射線画像Ｐを表示する第１の乳房画像表示手段３４とを備えている。
【００３４】
乳腺含有率算出手段３２は、乳腺の含有率を算出する。乳腺の含有率を算出するために、まず、乳房放射線画像Ｐからスキンラインを検出し、スキンラインを境にした乳房領域内を胸筋領域、乳腺領域、脂肪領域の各領域に分割する。たとえば、代表的なクラスタリング手法の１つであるK-means法を使って、乳房領域を図４に示すような領域（スキンラインＬ、胸筋領域Ｋ、脂肪領域Ｆ、乳腺領域Ｇ）にセグメンテーションする。次に、各領域の相互位置関係と各領域内における平均濃度値の大小関係から、４つの領域がそれぞれスキンラインＬ、胸筋領域Ｋ、脂肪領域Ｆ、乳腺領域Ｇのどれに対応するのかを判別する。具体的には、例えば、位置関係が４つの領域中一番上に位置しており、かつ領域内平均濃度値が一番高い領域をスキンラインとみなして各領域に分割する。
【００３５】
次に、各乳房放射線画像Ｐの乳腺含有率を計算する。セグメンテーションによって乳腺と判別された領域の面積（画素数）をSm、脂肪と判別された領域の面積をSf、とした時、次式（１）によって算出する。
【００３６】
乳腺含有率（％） ＝ Sm ／ （Sm ＋ Sf） × 100          （１）
並び換え手段３３は、乳腺含有率によって並び換えを行う。算出された乳腺含有率に応じて、クイックソート、バブルソート等の並び換えアルゴリズムを用いて乳房放射線撮影画像の画像リストを並べ替える。画像リストを乳腺含有率の昇順でソートするか、降順でソートするかはユーザが設定して選択できるようになっている。
【００３７】
第１の乳房画像表示手段３４は、並び換え手段３３によって並び換えた順に従って乳房放射線画像Ｐを表示する。
【００３８】
上述の各機器で動作するソフトウェアは、ＣＤ−ＲＯＭ等の記録媒体から各機器にインストールされても良いし、インターネット等のネットワーク経由で接続されたサーバからダウンロードされた後にインストールされてもよい。
【００３９】
以下、本実施の形態の医療情報システムを用いて乳房放射線画像を診断するときの流れについて図５のフローチャートに従って説明する。
【００４０】
画像診断医等のユーザによって、読影ワークステーション３で比較読影の対象となる乳房放射線画像Ｐの閲覧を要求する操作が行われると、読影ワークステーション３から画像管理サーバ４に対して閲覧要求が送信され（Ｓ１００）、比較読影に必要な乳房放射線画像Ｐが複数取得される。取得された乳房放射線画像Ｐは画像記憶手段３１に記憶される（Ｓ１０１）。
【００４１】
読影ワークステーション３では、乳腺含有率算出手段３２で画像記憶手段３１に記憶されている各乳房放射線画像Ｐの乳腺の含有率を算出し（Ｓ１０２）、並び換え手段３３で乳腺の含有率の昇順に乳房放射線画像Ｐのリストを並び換える（Ｓ１０３）。並び換えられたリストに従って、第１の乳房画像表示手段３４で表示装置上に乳房放射線画像Ｐを表示する。図７に示すように、読影ワークステーション３の表示装置上には乳腺の含有率の高い順（あるいは、低い順）に乳房放射線画像Ｐが１枚ずつ順番に切り替えられながら表示する（Ｓ１０４）。あるいは、図８に示すように、乳房放射線画像Ｐの複数枚を乳腺の含有率の昇順あるいは降順の並べて同一画面上に表示するようにしてもよい。
【００４２】
このように乳房の含有率の順に並べて表示した乳房放射線画像を読影することにより、異常陰影の診断が１つ前に読影した乳房放射線画像の乳腺の含有量に左右されることが少なくなり診断精度を向上させることができる。
【００４３】
次に、医療情報システムの第２の実施の形態について説明する。前述の実施の形態と同じ構成については同一符号を付して詳細な説明を省略し、相違する構成についてのみ説明する。前述の実施の形態では、乳房放射線画像を乳腺の含有率に応じて並び換えして表示する場合について説明したが、本実施の形態では、乳房放射線画像を乳腺の含有率に応じて複数の乳房タイプに分類して、各乳房タイプの乳房放射線画像に分けて表示をする場合について説明する。
【００４４】
本実施の形態の医療情報システムの構成は第１の実施の形態とほぼ同じであるので詳細な説明は省略する。本実施の形態が、第１の実施の形態と異なる点は読影クーステーション（乳房画像表示装置）３の構成である。
【００４５】
図６に示すように、本実施の形態の読影ワークステーション（乳房画像表示装置）３Ａは、第１の実施の形態の並び換え手段３３に変えて各放射線画像の乳腺の含有率に応じて、前記複数の乳房放射線画像Ｐを複数の乳房タイプに分類する分類手段３６を備え、第１の実施の形態の第１の乳房画像表示手段３４に変えて分類された乳房タイプに分けて乳房放射線画像Ｐを表示装置３５の画面上に表示する第２の乳房画像表示手段３７を備えている。
【００４６】
分類手段３６は、乳腺の含有率に応じて４つの乳腺タイプに分類する。一般に、乳房タイプは乳腺濃度の高い順に「高濃度」「不均一高濃度」「乳腺散在」「脂肪性」の４つの乳房タイプに分類される。前記で算出した乳腺含有率に対し、実験的に求めた３つの分類用閾値を適応する事によって、乳房放射線画像Ｐを４つの乳房タイプに分類する事が可能である。たとえば、３つの閾値をそれぞれ60%、40%、20%とした場合、分類方法は以下のようになる。
【００４７】
・乳腺含有率が60%以上         ：  高濃度に分類
・乳腺含有率が40%以上60%未満  ：  不均一高濃度に分類
・乳腺含有率が20%以上40%未満  ：  乳腺散在に分類
・乳腺含有率が20%未満         ：  脂肪性に分類
第２の乳房画像表示手段３７は、分類された各乳房タイプごとに乳房放射線画像Ｐを表示する。具体的には、図９に示すように、同じ乳房タイプｔに属する乳房放射線画像Ｐは同一画面上に一度に表示し、別の乳房タイプｔの乳房放射線画像Ｐは他の画面上に表示する。このとき、同じ乳房タイプｔの乳房放射線画像Ｐを同一画面上に表示するようにすれば、乳腺の含有量にかかわらず並びは問わない。あるいは、図１０に示すように、乳房放射線画像Ｐを１枚ずつ切り替えて表示する場合には、同じ乳房タイプｔの乳房放射線画像Ｐが続くように切り替えながら表示して、１つの乳房タイプｔが終わると別の乳房タイプｔの乳房放射線画像Ｐを表示するようにしてもよい。このとき、別の乳房タイプｔに切り替えて表示する指示が入力されない限りは同じ乳房タイプｔの乳房放射線画像Ｐを表示し、切り替えの指示が入力されると別の乳房タイプｔの乳房放射線画像Ｐを表示するようにしてもよい。また、同じ乳房タイプｔ内ではどのような順番で表示するかは問わない。
【００４８】
さらに、同じ乳房タイプｔに属する乳房放射線画像Ｐは同一画面上に一度に表示する場合であっても、１枚ずつ切り替えて表示する場合であっても、図９、１０に示すように、乳房放射線画像Ｐを表示している画面の横に、現在表示されている乳房放射線画像Ｐの分類された乳房タイプｔの名称を表示するようにすれば、現在読影している乳房放射線画像Ｐの乳房タイプｔを意識して診断を行うことができるので、診断精度を向上させることができる。あるいは、乳房タイプｔの名称ではなく乳房タイプに応じたマークなどを表示してもよい。
【００４９】
本実施の形態の医療情報システムを用いて乳房放射線画像を診断するときの流れは前述の実施の形態と略同じであるので省略する。
【００５０】
このように分類された乳房タイプ毎に乳房放射線画像を表示して、読影することにより異常陰影の診断が他の乳房放射線画像の乳腺の含有量に左右されることが少なくなり診断精度を向上させることができる。
【図面の簡単な説明】
【００５１】
【図１】医療情報システムの概略構成図
【図２】乳房画像撮影装置の概略構成図
【図３】第１の実施の形態の乳房画像表示装置の概略構成図
【図４】乳房放射線画像の領域を説明するための図
【図５】乳房放射線画像を診断するときの流れを表したフローチャート
【図６】第２の実施の形態の乳房画像表示装置の概略構成図
【図７】乳腺含有率の順に１枚ずつ切り替えながら乳房放射線画像を表示した一例
【図８】複数枚の乳房放射線画像を乳腺含有率の順に表示した一例
【図９】複数枚の乳房放射線画像を乳房タイプに分けて表示した一例
【図１０】乳房タイプに分けて１枚ずつ切り替えながら乳房放射線画像を表示した一例
【符号の説明】
【００５２】
１    乳房画像撮影装置
２    画像品質チェック用ワークステーション
３    読影ワークステーション（乳房画像表示装置）
４    画像管理サーバ
５    ネットワーク
１１  放射線照射部
１２  撮影台
１３  アーム
１４  基台
１５  画像記録媒体
１６  圧迫板
３１  画像記憶手段
３２  乳腺含有率算出手段
３３  並び換え手段
３５  表示装置
３４  第１の乳房画像表示手段
３６  分類手段
３７  第２の乳房画像表示手段
【図１】
2009078033.tif 000003
【図２】
2009078033.tif 000004
【図３】
2009078033.tif 000005
【図４】
2009078033.tif 000006
【図５】
2009078033.tif 000007
【図６】
2009078033.tif 000008
【図７】
2009078033.tif 000009
【図８】
2009078033.tif 000010
【図９】
2009078033.tif 000011
【図１０】
2009078033.tif 000012